【手続補正書】
【提出日】平成24年2月27日(2012.2.27)
【手続補正１】
【補正対象書類名】明細書
【補正対象項目名】０００３
【補正方法】変更
【補正の内容】
【０００３】
ところで、特許文献１では、太陽電池モジュールの識別情報を送信し、それを受信した装置において交流電力の出力を管理している。
また、特許文献２では、カートリッジバッテリが識別子を有しており、識別子にはカートリッジバッテリの利用（充電回数、充電間隔、充電時間など）の履歴に関する情報が含まれている。
【手続補正２】
【補正対象書類名】明細書
【補正対象項目名】０００６
【補正方法】変更
【補正の内容】
【０００６】
ポータブルデバイス向けのクリーンな発電装置は発売され、利用できる状態にある。しかしながら、発電装置よりポータブルデバイスへ給電を行った際に、そのエネルギーがクリーンなエネルギーか否かを認識する方法は存在しない。そこで、ユーザが現在使用しているポータブルデバイスの蓄電電力量のうち、クリーンなエネルギー起因のものである電力の量を、ポータブルデバイスの使用者であるユーザに提示し、その電力量をユーザに意識させれば、エコ意識の醸成に繋がると考えられる。特許文献１では、太陽電池モジュールの通算使用時間を管理する目的で、識別情報を授受しているにすぎず、上記の課題を解決することはできない。
【手続補正３】
【補正対象書類名】明細書
【補正対象項目名】０００８
【補正方法】変更
【補正の内容】
【０００８】
本発明の一態様による発電装置は、外部機器に供給する電力を発電する発電部と、前記発電部によって発電された電力の発電方法を識別するための発電方法識別子を、前記外部機器に送信する発電方法識別子送信部とを有し、前記外部機器において、供給を受けた電力と前記発電方法識別子によって識別される発電方法とを、前記外部機器の使用者に提示するようにしたことを特徴とする。この構成によれば、ポータブルデバイスへ給電された電力が、クリーンなエネルギー起因の電力なのか否かを、使用者に提示することができる。
【手続補正４】
【補正対象書類名】明細書
【補正対象項目名】０００９
【補正方法】変更
【補正の内容】
【０００９】
本発明による他の態様による発電装置は、外部機器に供給する電力を発電する発電部と、前記発電部によって発電された電力を、他の電力と共に蓄積する蓄電池と、前記蓄電池に蓄積されている電力について、その電力の発電方法を識別するための発電方法識別子と対応付けて管理する管理部と、前記管理部において管理されている発電方法識別子を、前記外部機器に送信する発電方法識別子送信部とを有し、前記外部機器において、供給を受けた電力と前記発電方法識別子によって識別される発電方法とを、前記外部機器の使用者に提示するようにしたことを特徴とする。この構成によれば、発電装置に蓄電池が設けられている場合でも、その蓄電池に蓄積されている電力の発電方法について識別し、それを使用者に提示することができる。
【手続補正５】
【補正対象書類名】明細書
【補正対象項目名】００１０
【補正方法】変更
【補正の内容】
【００１０】
本発明の一態様によるポータブルデバイスは、発電装置から供給される電力の発電方法を識別するための発電方法識別子を、前記発電装置から受信する発電方法識別子受信部と、前記発電装置から供給を受けた電力と前記発電方法識別子受信部によって受信された前記発電方法識別子によって識別される発電方法とを対応付けて提示する提示部とを含むことを特徴とする。この構成によれば、ポータブルデバイスへ給電された電力が、クリーンなエネルギー起因の電力なのか否かを、使用者に提示することができる。
【手続補正６】
【補正対象書類名】明細書
【補正対象項目名】００１１
【補正方法】変更
【補正の内容】
【００１１】
本発明の一態様による発電方法識別システムは、上記発電装置と、
前記発電装置から供給される電力の発電方法を識別するための発電方法識別子を、前記発電装置から受信する発電方法識別子受信部と、前記発電装置から供給を受けた電力と前記発電方法識別子受信部によって受信された前記発電方法識別子によって識別される発電方法とを対応付けて提示する提示部とを有するポータブルデバイスと、
を含むことを特徴とする。この構成によれば、ポータブルデバイスへ給電された電力が、クリーンなエネルギー起因の電力なのか否かを、使用者に提示することができる。
【手続補正７】
【補正対象書類名】明細書
【補正対象項目名】００１２
【補正方法】変更
【補正の内容】
【００１２】
本発明の一態様による発電方法識別方法は、外部機器に供給する電力を発電する発電ステップと、前記発電部によって発電された電力の発電方法を識別するための発電方法識別子を、前記外部機器に送信する送信ステップと、前記外部機器において、供給を受けた電力と前記発電方法識別子によって識別される発電方法とを、前記外部機器の使用者に提示する提示ステップとを含むことを特徴とする。このようにすれば、ポータブルデバイスへ給電された電力が、クリーンなエネルギー起因の電力なのか否かを、使用者に提示することができる。
【手続補正８】
【補正対象書類名】明細書
【補正対象項目名】００１５
【補正方法】変更
【補正の内容】
【００１５】
【図１】本発明の第一の実施形態に係る発電装置及びポータブルデバイスの構成図である。
【図２】本発明の第一の実施形態に係る発電装置及びポータブルデバイスの接続の例を示す図である。
【図３】電源コンセントから発電方法識別子を持たないＡＣアダプタを介してポータブルデバイスに給電が行われる場合について示した図である。
【図４】電力量管理部における電力管理方法の概要図である。
【図５】ポータブルデバイス上の電力残量メータを示した図である。
【図６Ａ】電力残量をユーザに提示する手段の例を示した図である。
【図６Ｂ】電力残量をユーザに提示する手段の例を示した図である。
【図６Ｃ】電力残量をユーザに提示する手段の例を示した図である。
【図７】本発明の第二の実施形態に係る発電装置及びポータブルデバイスの構成図である。
【図８】本発明の第二の実施形態に係るＡＣアダプタ及びポータブルデバイスの構成図である。
【図９】本発明の第二の実施形態に係る発電方法識別子内に記述される情報を示した図である。
【図１０】本発明の第二の実施形態に係る発電方法識別子に記述されている情報の変化について示した図である。
【手続補正９】
【補正対象書類名】明細書
【補正対象項目名】００３４
【補正方法】変更
【補正の内容】
【００３４】
（電力残量の提示）
図５の場合は、電力残量をユーザに提示する手段として電池残量メータを表示する方法を採用している。しかしながら、この方法に限定されず、ほかの方法によって、電力残量をユーザに提示してもよい。
例えば、図６Ａに示すように、音声で出力してもよい。この例では、「クリーンエネルギーは５０％、それ以外のエネルギーは３０％です」という内容の音声が携帯電話機のスピーカから出力される。
【手続補正１０】
【補正対象書類名】明細書
【補正対象項目名】００３５
【補正方法】変更
【補正の内容】
【００３５】
また、図６Ｂに示すように、円グラフで表示してもよい。この例では、クリーンエネルギー５１が「５０％」で、それ以外のエネルギー５２が「３０％」になっている円グラフが、携帯電話機の画面に表示される。
さらに、図６Ｃに示すように、数字で表示してもよい。この例では、全体の電力残量として「電力残量：８０％」、その内訳として「クリーン：５０％」、「それ以外：３０％」、という数字が携帯電話機の画面に表示される。
これら図６Ａ、図６Ｂ、図６Ｃのいずれの場合でも、電力残量をユーザに提示することができる。しかも、電力残量を単に提示するのではなく、クリーンなエネルギー起因の電力とそれ以外の電力との内訳を提示することができる。これにより、ユーザのエコ意識の醸成に繋がると考えられる。
【手続補正１１】
【補正対象書類名】図面
【補正対象項目名】図６
【補正方法】削除
【補正の内容】
【手続補正１２】
【補正対象書類名】図面
【補正対象項目名】図６Ａ
【補正方法】追加
【補正の内容】
【図６Ａ】
2012080629.tif 000001
【手続補正１３】
【補正対象書類名】図面
【補正対象項目名】図６Ｂ
【補正方法】追加
【補正の内容】
【図６Ｂ】
2012080629.tif 000002
【手続補正１４】
【補正対象書類名】図面
【補正対象項目名】図６Ｃ
【補正方法】追加
【補正の内容】
【図６Ｃ】
2012080629.tif 000003